(57)【要約】 【課題】  引戸の跳ね返り防止と鎌片の破損防止。【解決手段】  引戸を閉めると、戸枠側の受け金具に当たって錠箱内に後退するトリガー、固定軸に軸支されかつトリガーの後退動に連動して前記受け金具に係合する方向へ回転する鎌片、該鎌片が受け金具に係合するとトリガーを自動的に係止するラッチング機構を備えた引戸錠に於いて、ラッチング機構Ｚは、錠箱１０内の空間部分に設けられたユニット部材であり、ユニット部材は、水平可動軸５２を有すると共に、垂直方向に移動可能な枠状支持片５１と、水平可動軸に軸支され、かつ、トリガーの一辺に形成された第１係合部分３５と係合可能な係止爪部５３ａを有するラッチ板５３と、支持片に組み込まれ、かつ、ラッチ板を係合可能な位置へ付勢する仮止め用バネ５４とから成ること。【選択図】  図７
2006200288.tif 000002
【特許請求の範囲】
【請求項１】
引戸を閉めると、戸枠側の受け金具に当たって錠箱内に後退するトリガー、固定軸に軸支されかつトリガーの後退動に連動して前記受け金具に係合する方向へ回転する鎌片、該鎌片が受け金具に係合すると前記トリガーを自動的に係止するラッチング機構を備えた引戸錠に於いて、前記ラッチング機構Ｚは、錠箱１０内の空間部分に設けられたユニット部材であり、該ユニット部材は、水平可動軸５２を有すると共に、垂直方向に移動可能な枠状支持片５１と、前記水平可動軸に軸支され、かつ、トリガーの一辺に形成された第１係合部分３５と係合可能な係止爪部５３ａを有するラッチ板５３と、前記支持片に組み込まれ、かつ、前記ラッチ板を係合可能な位置へ付勢する仮止め用バネ５４とから成ることを特徴とする引戸錠。
【請求項２】
請求項１に於いて、ユニット部材Ｚは、錠箱に固定されかつ支持片５１を上下方向へ案内するガイド部材５６を含むと共に、支持片５１の水平可動軸５２は、錠箱１０の垂直案内部２５に案内されることを特徴とする引戸錠。
【請求項３】
請求項１または請求項２に於いて、ユニット部材Ｚの支持片５１は、仮止め用バネ５４よりもバネ力が弱く設定された錠箱内装のバネ５７により、該支持片５１と一体的なラッチ板５３がトリガー３１に係合する方向へ付勢されていることを特徴とする引戸錠。
【請求項４】
請求項１に於いて、錠箱のフロント１１にはトリガー３１を案内するトリガー支持部材１５が取り付けられていることを特徴とする引戸錠。
【請求項５】
引戸を閉めると、戸枠側の受け金具に当たって錠箱内に後退するトリガー、固定軸に軸支されかつトリガーの後退動に連動して前記受け金具に係合する方向へ回転する鎌片、該鎌片が受け金具に係合すると前記トリガーを自動的に係止するラッチング機構を備えた引戸錠に於いて、前記ラッチング機構Ｚは、錠箱１０内の空間部分に設けられたユニット部材であり、該ユニット部材は、水平可動軸５２を有すると共に、垂直方向に移動可能な枠状支持片５１と、前記水平可動軸に軸支され、かつ、トリガーの一辺に形成された第１係合部分３５と係合可能な係止爪部５３ａを有するラッチ板５３と、前記支持片に組み込まれ、かつ、前記ラッチ板を係合可能な位置へ付勢する仮止め用バネ５４とから成り、また、錠箱のフロント１１にはトリガー３１を案内すると共に、鎌片４３の先端部４３ｂの先部分を受け入れる部分１７を有するトリガー支持部材１５Ａが取り付けられていることを特徴とする引戸錠。
【請求項６】
請求項５に於いて、鎌片４３に形成された鎌片長孔４４は、鎌片が突出したままの状態で引戸１を閉めた場合においても、鎌片が錠箱１０内に後退し得るように所要の長さに設定されていることを特徴とする引戸錠。
【請求項７】
請求項５に於いて、引戸を開いた状態に於いて、鎌片４３を突出させ、かつ、施錠片６１をトリガーのガイド溝４２に係合させた時、該施錠片６１が施錠状態であっても、鎌片及びトリガーが後退できるように前記ガイド溝４２を水平方向の横溝に形成したことを特徴とする引戸錠。
【発明の詳細な説明】
【技術分野】
【０００１】
本発明は、トリガー、トリガーに連動する鎌片及びラッチング機構を備えた引戸錠に関する。
【背景技術】
【０００２】
錠箱のフロントから受け金具に向かって突出するトリガー（水平突出杆）と、このトリガーに連動する鎌片を備えた建具用引戸錠は、例えば実開昭５７−１１０２６０号公報（特許文献１）に記載されている。
【０００３】
この種の引戸錠は、引戸の閉戸時、トリガーはその先端面がストライクの表面に突き当たると後退し始め、鎌片は動力変換機構（例えばラック及びピニオン）を介して掛合方向へと突出する。したがって、例えば引戸を急激に閉めた時の「引戸跳ね返り現象（跳ね返り）」によって引戸が戻ると、鎌片は錠箱側に容易に後退し、トリガーは鎌片が回転した分だけ動力変換機構を介してストライク側へ進出する関係にある。
【０００４】
そこで、引戸を閉めた時の跳ね返りを防止するために、建具用引戸錠には、普通一般にラッチング機構（仮施錠機構）が組込まれている。ラッチング機構を備えた先行技術の一つとして、例えば特開２００２−３２２８５０号公報（特許文献２）が存在する。この特許文献２は、本発明の外延となり得る先行技術である。
【０００５】
したがって、本願発明は、「引戸を閉めると、戸枠側の受け金具に当たって錠箱内に後退するトリガー、固定軸に軸支されかつトリガーの後退動に連動して前記受け金具に係合する方向へ回転する鎌片、該鎌片が受け金具に係合すると前記トリガーを自動的に係止するラッチング機構を備えた引戸錠」を前提とする。
【０００６】
ところで、特許文献２に記載の発明は、「引戸閉戸時の跳ね返り防止」のみならず、「鎌片やラッチング機構の破損防止」を目的としている。そのために、引戸閉戸時、ラッチング機構の新規な構成により、鎌片を錠箱の後壁側へ後退させ得る。すなわち、特許文献２に記載の発明は、「引戸閉戸時、跳ね返り現象が生じすると、ラッチング機構を構成する仮施錠用係止爪片は、ラッチ板の係合歯から受ける係合解除方向への力により、係合方向へ常時付勢する錠箱内の戻しバネのバネ力に抗して、かつ、係合解除片に形成した水平案内長孔に係合する係合ピン並びに錠箱に形成した逃し案内長孔に係合する可動枢支ピンを介して、前記水平案内長孔の遊び間隙側及び逃し案内長孔の緩衝用間隙側へと同時移行すること」を特徴とする。
【０００７】
上記構成の新規事項の一つとして、「鎌片の基端部側に該鎌片を錠箱の後壁側へ後退させ得る鎌片長孔を形成している」が、この鎌片長孔は、引戸閉戸時、引戸をさらに閉めることによって、鎌片を錠箱内に後退させることができるから、チリ調整機能を果たしている（特許文献２の段落００２５にその旨の記載）。
【０００８】
したがって、特許文献２に記載の発明は、引戸閉戸時の跳ね返り防止、鎌片やラッチング機構の破損防止、引戸閉戸時におけるチリ調整機能等幾つかの優れた利点を有している。
【０００９】
しかしながら、特許文献２に記載の発明は、ラッチング機構を構成するラッチ板、仮施錠用係止爪片、係合解除片、複数個のバネ部材等がそれぞれ独立別個の箇所に組み込まれる非ユニット部材であることから、部品点数が多くなる、組み合わせが面倒である、錠箱内の空間部分の有効的に活用していない等の問題点があった。さらに、悪戯により、鎌片が突出したままの状態で引戸を閉めた場合には、鎌片やラッチ板のラチェット歯が破損し、場合によっては仮施錠用係止爪片が変形ないし破損する恐れがあった。
【特許文献１】実開昭５７−１１０２６０号公報
【特許文献２】特開２００２−３２２８５０号公報
【発明の開示】
【発明が解決しようとする課題】
【００１０】
本発明の目的は、特許文献２の利点を備えながら、その問題点（部品点数の削減、組み合わせの容易化、錠箱内の空間部分の有効利用、悪戯による部品の破損防止）を解消することである。
【課題を解決するための手段】
【００１１】
本発明は、引戸を閉めると、戸枠側の受け金具に当たって錠箱内に後退するトリガー、固定軸に軸支されかつトリガーの後退動に連動して前記受け金具に係合する方向へ回転する鎌片、該鎌片が受け金具に係合すると前記トリガーを自動的に係止するラッチング機構を備えた引戸錠に於いて、前記ラッチング機構Ｚは、錠箱１０内の空間部分に設けられたユニット部材であり、該ユニット部材は、水平可動軸５２を有すると共に、垂直方向に移動可能な枠状支持片５１と、前記水平可動軸に軸支され、かつ、トリガーの一辺に形成された第１係合部分３５と係合可能な係止爪部５３ａを有するラッチ板５３と、前記支持片に組み込まれ、かつ、前記ラッチ板を係合可能な位置へ付勢する仮止め用バネ５４とから成ることを特徴とする。
【００１２】
上記構成に於いて、錠箱のフロント１１にはトリガー３１を案内すると共に、鎌片４３の先端部４３ｂの先部分を受け入れる部分１７を有するトリガー支持部材１５Ａが取り付けられていることを特徴とする。
【発明の効果】
【００１３】
（１）部品点数の削減を図ることができる。
（２）組み合わせの容易化を図ることができる。
（３）錠箱内の空間部分の有効利用を図ることができる。
（４）悪戯による部品の破損防止を図ることができる。
【発明を実施するための最良の形態】
【００１４】
図１乃至図９に示す第１実施例を参照に本発明の引戸錠Ｘを説明する。
【００１５】
（１）発明の実施の環境
まず図１及び図２を参照に発明の実施の環境について説明する。Ｘは、例えば引戸１の中に収められる彫り込み型の引戸錠である。一方、Ｙは戸枠２に固定的に取付けられた受け金具である。受け金具Ｙは、ボックス部を有するトロヨケ３と、このトロヨケ３の開口に重ね合わせられたストライク（受座）４とから成る。ストライク４は縦長の板状に形成され、複数個の固着手段５を介してトロヨケ３の耳状の取り付け部に固定される。本実施例では、長板状のストライク（受座）４の表面にトリガーの先端部が当接可能である。
【００１６】
また、普通一般に引戸１の先端面と戸枠２との間には「３ｍｍ，５ｍｍ等のチリ」設定するが、本実施例では、閉戸時、チリがあっても、引戸１を閉めることが可能であり、引戸１を閉めると、チリがなくなる。すなわち、閉戸時、長板状のストライク（受座）４の表面に引戸１の先端面が当接可能である
（２）錠箱
次に錠箱について説明する。１０は引戸１の縦框に内装される錠箱である。この錠箱１０は、ケース身１０ａと、このケース身の大きい開口部（側壁部分に相当）を閉鎖する矩形板状のケース蓋１０ｂとから成る。錠箱１０も引戸錠Ｘの一部を成す。
【００１７】
１１は錠箱１０の前側の開口に固定されたフロントである。このフロント１１は、普通一般に錠箱１０のフロント前壁１２に固定されている。ここでは、フロント前壁１２もフロント１１の用語に含まれる。
【００１８】
１３は錠箱を引戸１に固定するための複数個の第２固着手段である。１４は鎌片用出入り窓で、この出入り窓１４の上部側には、換言すればフロント１１の略中心部には、トリガーを案内する角筒状のトリガー支持部材１５が取り付けられている。トリガー支持部材１５は、先端部寄りの部位に位置決め突起１６や取付け部分が設けられている。位置決め突起１６は、フロント１１に当接することができるように上下対称、鍔状など適宜形状に形成されている。そして、突起１６の先端部側は、図２で示すようにフロント１１に嵌め込まれている。
【００１９】
（３）ケース身とケース蓋
図３はケース身１０ａの正面図である。ここで、図１乃至図３を参照にしてケース身１０ａ及びケース蓋１０ｂに形成された主な取付け部（例えばガイド孔、軸孔、取付け孔）ついて説明する。なお、本発明の関係のない取付け部等の説明は省略する。
【００２０】
まず２０はケース身１０ａ及びケース蓋１０ｂの中央部に形成された横長案内長孔で、この横長案内長孔２０は、フロント１１（先端部）側の弧状案内部２０ａと、これに連続する直線案内部２０ｂとから成る。この横長案内長孔２０には、鎌片４３の後端部に固定的に設けられた可動軸２１が係合する。
【００２１】
次に２２は弧状案内部２０ａの直ぐ下方に設けられた円形軸孔で、この円形軸孔２２には、鎌片４３を案内する固定軸２３が設けられている。鎌片用の固定軸２３は、後述する鎌片長孔４４を介して錠箱１０に横設軸架されている。
【００２２】
次に２４は弧状案内部２０ａとフロント１１との間に形成された矩形小孔状の第１取付け部で、この第１取付け部２４には、前述したトリガー支持部材１５が適宜に取り付けられる。したがって、第１取付け部２４は、弧状案内部２０ａよりも若干上位のフロント１１寄りの部位に形成されている。
【００２３】
次に２５は弧状案内部２０ａとケース身１０ａの上壁との間に形成された垂直案内部（例えば長孔）で、この垂直案内長孔２５には、後述のラッチング機構Ｚを構成する水平可動軸５２が取り付けられる。付言すると、本実施例のラッチング機構Ｚは一組のユニット部材であることから、案内長孔２５は、ユニット部材Ｚを錠箱１０内に組み込むことができるようにケース身１０ａの上壁付近に形成された矩形小孔状の第２取付け部２６と弧状案内部２０ａとの間に位置するように形成されている。前記矩形小孔状の第２取付け部２６には、ユニット部材Ｚの一部を構成し、かつ、ユニット部材の枠状支持片５１を上下方向に案内するガイド部材（垂直軸部材）が適宜に取り付けられる。
【００２４】
次に２７はフロント１１と第２取付け部２６との間に形成された矩形小孔状の第３取付け部で、この錠箱１０の隅角部に形成された第３取付け部２７には、弱いバネ用の支持軸２８が取り付けられている。さらに、錠箱１０の下部の中央部には、矩形小孔状の第４取付け部２９が形成され、この第４取付け部２９には、ケース蓋固定用のメネジ支持杆３０が取り付けられている。このメネジ支持杆３０は、鎌片４３が錠箱内に戻った時に所定位置で止めるストッパー機能を有している（図２参照）。その他錠箱１０にはバネ支持具用の取付け部等が適宜に形成されている。
【００２５】
（４）トリガーとトリガーバネ
次に図４乃至図６を参照にしてトリガー３１を説明する。図４はトリガー３１の正面図、図５はその左側面図、図６は図４の６−６線断面図である。トリガー３１は錠箱１０内に摺動自在に装着されている。このトリガー３１は、長杆状先端部３２と、この突出先端部３２に幅広に連設する幅広状後端部３３とから成り、図２で示すように引戸が開いている時は、前記先端部３２は錠箱１０のフロント１１から突出する。
【００２６】
しかして、３４は前記後端部３３の上辺の先端部分に傾斜状に形成された摺接面、３５はこの傾斜状摺接面３４に続く爪状の仮止め用係合部分である。この摺接面３４及び仮止め用係合部分３５は、ラッチング機構Ｚを構成するラッチ板用の第１係合部分に相当し、前者３４はラッチ板５３を誘導し、一方、後者３５は閉戸時にラッチ板５３を係止する。
【００２７】
また、３６は後端部３３の下辺の先端部分に下向きＵ字形状に形成された第２係合部分で、この第２係合部分には、前述した鎌片の可動軸２１が摺接自在に係合する。また、３７は後端部３３の後端面からその内部にかけて横溝状に形成されたバネ嵌合部分で、このバネ嵌合部分３７にはトリガーバネ３８の先端側が組み込まれている。
【００２８】
ここで、トリガーバネ３８について説明する。図２，図８で示すように、トリガーバネ３８は後端部３３とケース身１０ａの後壁との間に横方向に組込まれ、その先端部が後端部３３のバネ嵌合部分３７の内面に適宜に圧接し、一方、後端部は後壁に固定的に設けられたバネ支持具３９に支持されている。したがって、トリガー３１は、トリガーバネ３８のバネ力により、その先端部３２の一部が常時フロント１１から突出するように付勢されている。
【００２９】
さらに、後端部３３の側壁には突起４０が設けられ、該突起４０は錠箱１０に設けられたトリガーガイド（図示しない）に案内される。本実施例のトリガー３１は、その先端部３２がトリガー支持部材１５に常に嵌入している。したがって、トリガー３１はトリガー支持部材１５及び前記突起４０に案内されて安定的に進退動する。
【００３０】
加えて、後端部３３の上部側には、図示しない操作片により上下動する施錠片６１の錠止腕６２と係合する第３係合部分４１や錠止腕６２を案内するガイド横溝４２（図４参照）がそれぞれ設けられている。
【００３１】
（５）鎌片
鎌片４３は全体として人差し指を折り曲げた形態をしており、その幅広基部４３ａの縁部には可動軸２１が突設されている。前述したように、可動軸２１は錠箱１０の横長案内長孔２０に係合している。また鎌片４３の基部４３ａには鎌片長孔４４が形成されている。鎌片４３は、該鎌片長孔４４を貫通する固定軸２３に軸支されている。したがって、鎌片４３がトリガー３１に連動するための動力変換機構は、トリガー３１の第２係合部分３６と鎌片４３の可動軸２１で構成されているから、極めてシンプルな構成となっている。
【００３２】
ところで、前記鎌片長孔４４はチリ調整機能を有する。この鎌片長孔４４は、横長案内長孔２０の直線案内部２０ｂと相俟って、引戸１の閉戸時であっても、換言すれば、鎌片４３の鉤状先端部４０ｂがストライク４に係合（掛合）のままであっても、引戸１をさらに閉めると、鎌片４３の基部４３ａ側を錠箱１０内に後退させることができる。
【００３３】
（６）ラッチング機構
鎌片４３を仮施錠状態にする、又は仮施錠状態を解消するラッチング機構Ｚは、錠箱１０内の空間部分に設けられた一組のユニット部材である。該ユニット部材Ｚは、図７で示すように、垂直方向に移動可能な枠状の支持片５１と、この支持片５１に水平可動軸５２を介して軸支され、かつ、トリガー３１の一辺に形成された仮止め用係合部分３５と係合可能な係止爪部５３ａを有するラッチ板５３と、前記支持片５１に前記水平可動軸５２を介して組み込まれ、かつ、前記ラッチ板５３を係合可能に位置へ付勢する仮止め用バネ５４とから成る。
【００３４】
前記支持片５１は、仮止め用バネ５４よりもバネ力が弱く設定された錠箱内装の支持片用バネ５７により、該支持片５１と一体的なラッチ板５３がトリガー３１に係合する方向へ付勢されている。
【００３５】
また、前記ラッチ板５３は、水平可動軸５２用の軸孔の回りに前記バネ５４装着用の溝５５を有すると共に、前記係止爪部５３ａとは反対側に延びるバネ端５４ａ用の突起状支持部分５３ｂを有している。
【００３６】
また、前記仮止め用バネ５４の他端部５４ｂは支持片５１の上壁部分に形成したバネ端支持孔に支持されている。さらに、前記支持片５１には、支持軸２８に中央部が巻装された弱いバネ（仮止め用バネ５４に比してバネ力が弱い）５７の一端部が圧接している。
【００３７】
ところで、本実施例のユニット部材Ｚは、水平移動するトリガー３１を基準にすると、鎌片４３が軸支された空間部分とは反対側の空間部分に設けられている。また、前述したように、ユニット部材は、錠箱１０の内壁面に固定され得る支持片用ガイド部材５６を含み、一組のユニット部材を構成している。それ故に、ユニット部材Ｚを極めて簡単に錠箱１０内に取り付けることができる。
【００３８】
（７）作用
図７はラッチング機構Ｚの仮施錠状態に至る概略説明図である。したがって、ラッチング機構Ｚの仮施錠状態が解消する場合は、図７とは逆の作動態様となる。また、図８及び図９は、鎌片４３、引戸１等も含めた全体の動きを示す概略説明図である。まず、図２と図８とを対比すると明らかなように、図２は引戸１を矢印Ａ方向に閉める途中に於いて、トリガー３１の先端部３２がストライク４に当たる寸前を示しているのに対し、図８はトリガー３１がトリガー支持部材１５及び前記突起４０に案内されて錠箱１０内に後退し、該トリガー３１の後退動に連動して鎌片４３が固定軸２３を支点に時計（掛合）方向に回転し、その結果、鎌片４３の先端部４３ａがストライク４に係合した状態を示している。
【００３９】
図２から図８の閉戸時状態になる過程に於いて、ユニット部材Ｚを構成する支持枠５１、水平可動軸５２、ラッチ５３等は、ラッチ５３が後退動するトリガー３１の傾斜状摺接面３４に押圧されると、支持枠用の弱いバネ５７のバネ力に抗して上方に移動し、その係止爪部５３ａが摺接面３４を乗り越えると、引戸１の所定のチリを有する閉鎖位置にて、今度は弱いバネ５７のバネ力により下方に移動する。したがって、前記係止爪部５３ａはトリガー３１の仮止め用係合部分３５自動的に係合する。これが仮施錠状態である。この時、ラッチ５３は錠箱１０に案内される水平可動軸５２を介して上下動する反面、反時計方向へは回転しない。それはラッチ５３の突起状支持部分５３ｂが支持枠５１の左側垂直壁の内面に支持されているからである。
【００４０】
それ故に、引戸１を開いた場合には、トリガーバネ３８のバネ力により錠箱１０から進出するトリガー３１の第１係合部分３５により、ラッチ５３は、強いバネ５４のバネ力に抗して図８で示す矢印Ｂ（時計方向）に回転し、その結果、仮施錠状態が解消する。
【００４１】
ところで、図９は、引戸閉戸時におけるチリ調整機能を示す説明図である。前述したように鎌片長孔４４はチリ調整機能を有する。したがって、図８の所定のチリを有する閉鎖位置にて、さらに、引戸１を矢印Ａ方向へ閉めた場合には、鎌片４３は、錠箱１０の横長案内長孔２０の直線案内部２０ｂ及び鎌片４３の鎌片長孔４４の両者に案内される固定軸２３を介してトリガー３１と一緒に錠箱１０内に後退する格好となる。
【実施例】
【００４２】
この欄では図１０及び図１１に示す本発明の第２実施例について説明する。なお、第２実施例と第１実施例との構成上の同一部分には、同一又は同様の符号を付して重複する説明を省略する。
【００４３】
この第２実施例は、第１実施例の構成の主要部をそのまま含み、本発明の主たる目的に、「悪戯による部品の破損防止」の目的が加味されている。その目的を達成する手段として、トリガー支持部材１５Ａの先端部に鎌片４３の先端部４３ｂの先部分を受け入れる開口或いは切欠部１７を形成している。したがって、該トリガー支持部材１５Ａは、トリガー３１を案内する機能及び鎌片４３の先端部４３ｂの先部分を受け入れる機能を有する。
【００４４】
それ故に、この第２実施例は、引戸を開いた状態に於いて、鎌片４３を突出させ、かつ、前記施錠片６１をトリガー３１の一辺のガイド溝４２に係合させた時、該施錠片６１が施錠状態であっても、鎌片及びトリガーが後退できるように前記ガイド溝４２を水平方向の横溝に形成したことを特徴とする。
【００４５】
すなわち、この第２実施例は、トリガー３１の一辺に水平方向の横溝４２が形成されているので、図１１で示すように、引戸を開いた状態に於いて、仮に悪戯により鎌片４３の先端部４３ｂを錠箱１０から突出させ、かつ、施錠片６１の施錠腕６２をガイド溝４２に係合させた状態で引戸１を閉めた場合であっても、トリガー３１の先端部３２がトリガー支持部材１５Ａに支持された状態で、かつ、鎌片４３の先端部４３ｂの先部分が前記開口１７に入り込み、該鎌片４３及びトリガー３１は、ストライク４に押されて錠箱１０内へ後退するので、鎌片４３等が破損しないという優れた効果があり、ラッチング機構Ｚの故障を未然に防止することができる。
【産業上の利用可能性】
【００４６】
本発明は、主に錠前や建具の業界で利用される。
【図面の簡単な説明】
【００４７】
図１乃至図９は本発明の第１実施例を示す各説明図である。図１０及び図１１は本発明の第２実施例を示す各説明図である。
【図１】実施形態の一例を示す斜視図。
【図２】引戸を開いた一例の内部構造を示す概略説明図。
【図３】ケース身の正面図。
【図４】トリガーの正面図。
【図５】トリガーの左側面図。
【図６】図４の６−６線断面図。
【図７】主要部の作用を示す概略説明図。
【図８】引戸１を閉める途中の概略説明図。
【図９】引戸閉戸時におけるチリ調整機能を示す概略説明図。
【図１０】本発明の第２実施例を示す図２と同様の概略説明図。
【図１１】第２実施例の効果を示す概略説明図。
【符号の説明】
【００４８】
Ｘ…引戸錠、Ｙ…受け金具、Ｚ…ラッチング機構、１…引戸、２…戸枠、３…トロヨケ、４…ストライク、５，１３…固着具、１０…錠箱、１０ａ…ケース身、１１…フロント、１２…フロント前壁、１４…出入り窓、１５，１５Ａ…トリガー支持部材、１６…位置決め用突起、１７…切欠部、２０…横長案内長孔、２１…可動軸、２２…円形軸孔、２３…固定軸、２４，２６，２７，２９…取付け部、２８…支持軸、２５…垂直案内長孔、３１…トリガー、３２…長杆状先端部、３３…幅広状後端部、３４…摺接面、３５…仮止め用係合部分（第１係合部分）、３６…第２係合部分、３７…バネ嵌合部分、３８…トリガーバネ、３９…バネ支持具、４０…突起、４１…第３係合部分、４２…ガイド横溝、４３…鎌片、４３ａ…基端部、４３ｂ…先端部、４４…鎌片長孔、５１…支持片、５２…水平可動軸、５３…ラッチ板、５４…ラッチ板用バネ（強いバネ）、５６…支持片用ガイド部材、５７…支持片用バネ（弱いバネ）、６１…施錠片、６２…施錠腕、Ａ，Ｂ…矢印。
【図１】
2006200288.tif 000003
【図２】
2006200288.tif 000004
【図３】
2006200288.tif 000005
【図４】
2006200288.tif 000006
【図５】
2006200288.tif 000007
【図６】
2006200288.tif 000008
【図７】
2006200288.tif 000009
【図８】
2006200288.tif 000010
【図９】
2006200288.tif 000011
【図１０】
2006200288.tif 000012
【図１１】
2006200288.tif 000013